(57)【要約】【課題】注出筒部のがたつきを抑制した蓋付カップ容器を提供する。【解決手段】蓋付カップ容器１Ａは、上端開口２ａがシール材３によって封止されたカップ本体２と、シール材を上方から覆う蓋体４と、を備える。蓋体は、先端に刃部２３が形成された注出筒部２０と、注出筒部を収容する収容部１５が形成された蓋本体部１０と、注出筒部を蓋本体部に対して回動可能に連結するヒンジＨと、を有する。収容部の内面および注出筒部の外周面のうち、少なくとも一方には、他方に向けて突出するとともに当該他方に当接する係止部１５ａが形成されている。【選択図】図１
2020070053.tif 000002
【特許請求の範囲】
【請求項１】
内容物が収容されるとともに、上端開口がシール材によって封止されたカップ本体と、
前記シール材を上方から覆う蓋体と、を備え、
前記蓋体は、先端に刃部が形成された注出筒部と、前記注出筒部を収容する収容部が形成された蓋本体部と、前記注出筒部を前記蓋本体部に対して回動可能に連結するとともに、前記収容部内に配設されたヒンジと、を有し、
前記収容部の内面および前記注出筒部の外周面のうち、少なくとも一方には、他方に向けて突出するとともに当該他方に当接し、前記注出筒部を前記収容部内に離脱可能に係止する係止部が形成されている、蓋付カップ容器。
【請求項２】
前記係止部は、前記収容部の内面に形成されている、請求項１に記載の蓋付カップ容器。
【請求項３】
前記注出筒部の外周面には上方に向けて突出するツマミが形成され、
前記ツマミは、前記注出筒部の外周面に固定された接続部と、前記接続部回りに回動可能な操作部と、を有している、請求項１または２に記載の蓋付カップ容器。
【請求項４】
前記注出筒部の外周面には、前記注出筒部の側方に向けて突出する指かけ部が形成されている、請求項１または２に記載の蓋付カップ容器。
【発明の詳細な説明】
【技術分野】
【０００１】
本発明は、蓋付カップ容器に関する。
【背景技術】
【０００２】
従来から、下記特許文献１に示されるような蓋付カップ容器が知られている。この蓋付カップ容器は、内容物が収容されるとともに、上端開口がシール材によって封止されたカップ本体と、シール材を上方から覆う蓋体と、を備えている。蓋体には、ヒンジ回りに回動可能な注出筒部が設けられており、注出筒部の先端には刃部が形成されている。刃部によってシール材に孔を開けることで、注出筒部を通して内容物を注出したり吸引したりすることが可能となる。
【先行技術文献】
【特許文献】
【０００３】
【特許文献１】特許第５１２８３０１号公報
【発明の概要】
【発明が解決しようとする課題】
【０００４】
特許文献１の構成では、例えば蓋付カップ容器の流通時に、注出筒部のがたつきが課題となる場合があった。
【０００５】
本発明はこのような事情を考慮してなされ、注出筒部のがたつきを抑制した蓋付カップ容器を提供することを目的とする。
【課題を解決するための手段】
【０００６】
上記課題を解決するために、本発明の一態様に係る蓋付カップ容器は、内容物が収容されるとともに、上端開口がシール材によって封止されたカップ本体と、前記シール材を上方から覆う蓋体と、を備え、前記蓋体は、先端に刃部が形成された注出筒部と、前記注出筒部を収容する収容部が形成された蓋本体部と、前記注出筒部を前記蓋本体部に対して回動可能に連結するとともに、前記収容部内に配設されたヒンジと、を有し、前記収容部の内面および前記注出筒部の外周面のうち、少なくとも一方には、他方に向けて突出するとともに当該他方に当接し、前記注出筒部を前記収容部内に離脱可能に係止する係止部が形成されている。
【０００７】
上記態様によれば、収容部の内面に形成された係止部が注出筒部に当接することで、あるいは注出筒部の外周面に形成された係止部が収容部に当接することで、収容部内における注出筒部の位置が安定する。これにより、例えば蓋付カップ容器の流通時に、注出筒部のがたつきを抑制することができる。
【０００８】
ここで、前記係止部は、前記収容部の内面に形成されていてもよい。
【０００９】
この場合、係止部が外部から視認されにくくなり、蓋付カップ容器の外観をより良好にすることができる。
【００１０】
また、前記注出筒部の外周面には上方に向けて突出するツマミが形成され、前記ツマミは、前記注出筒部の外周面に固定された接続部と、前記接続部回りに回動可能な操作部と、を有していてもよい。
【００１１】
この場合、操作部をつまんで引き上げることで、注出筒部をヒンジ回りに回動させることができる。したがって、例えば内容物が飲料である場合に、注出筒部のうち飲み口となる部分に触れなくても、内容物を飲める状態とすることができる。
また、流通時には操作部を注出筒部に向けて倒した姿勢とすることで、蓋体の上下方向のかさ張りを抑えることができる。その一方で、ツマミを操作する際には、操作部を接続部回りに回動させて注出筒部から起立した姿勢とすることで、操作しやすくすることができる。
【００１２】
また、前記注出筒部の外周面には、前記注出筒部の側方に向けて突出する指かけ部が形成されていてもよい。
【００１３】
この場合、指かけ部に指をかけて引き上げることで、注出筒部をヒンジ回りに回動させることができる。したがって、例えば内容物が飲料である場合に、注出筒部のうち飲み口となる部分に触れなくても、内容物を飲める状態とすることができる。
また、指かけ部は注出筒部の側方に向けて突出しているため、流通時における蓋体の上下方向のかさ張りを抑えることができる。
【発明の効果】
【００１４】
本発明の上記態様によれば、注出筒部のがたつきを抑制した蓋付カップ容器を提供することができる。
【図面の簡単な説明】
【００１５】
【図１】第１実施形態に係る蓋付カップ容器の縦断面図である。
【図２】（ａ）は、図１の蓋体の成形時の平面図である。（ｂ）は、（ａ）の縦断面図である。
【図３】図１の蓋付カップ容器の使用状態の縦断面図である。
【図４】第２実施形態に係る蓋付カップ容器の縦断面図である。
【図５】図４の平面図である。
【図６】図４の蓋付カップ容器の使用状態の縦断面図である。
【図７】第３実施形態に係る蓋付カップ容器の斜視図である。
【図８】第４実施形態に係る蓋付カップ容器の縦断面図である。
【図９】図８の平面図である。
【図１０】図８の蓋体を組み立てる様子を示す図である。
【図１１】図８の蓋付カップ容器の使用状態の縦断面図である。
【発明を実施するための形態】
【００１６】
（第１実施形態）
以下、第１実施形態の蓋付カップ容器について図面に基づいて説明する。
図１に示すように、蓋付カップ容器１Ａは、カップ本体２と、シール材３と、蓋体４と、を備えている。カップ本体２は有底筒状に形成されており、上端開口２ａがシール材３によって封止されている。
【００１７】
カップ本体２には内容物が収容される。内容物としては、例えば飲料などの液体が好適である。ただし、内容物は適宜変更可能であり、飲料でなくてもよいし、液体でなくてもよい。蓋体４は、有頂筒状に形成されており、シール材３を上方から覆っている。
【００１８】
（方向定義）
本実施形態では、カップ本体２および蓋体４は、それぞれの中心軸が共通軸上に配置されている。以下、この共通軸を容器軸Ｏといい、容器軸Ｏに沿う方向を上下方向という。上下方向において、カップ本体２の底部側を下方といい、上端開口２ａ側を上方という。上下方向から見た平面視において、容器軸Ｏに交差する方向を径方向といい、容器軸Ｏ回りに周回する方向を周方向という。なお、径方向のうちの一方向を左右方向Ｘといい、上下方向および左右方向Ｘの双方に直交する方向を前後方向Ｙという場合がある。また、左右方向Ｘにおける一方側を＋Ｘ側、他方側を−Ｘ側、前後方向Ｙにおける一方側を＋Ｙ側、他方側を−Ｙ側という場合がある。図１は、上下方向および左右方向Ｘに沿った蓋付カップ容器１Ａの縦断面図である。
【００１９】
カップ本体２の胴部は、下方から上方に向かうに従い、漸次拡径されている。カップ本体２には、上端開口２ａから径方向外側に向けて延びるフランジ部２ｂが形成されている。シール材３は、フランジ部２ｂの上面に接着されている。これにより、シール材３はカップ本体２を封止している。シール材３としては、例えば合成樹脂フィルムをアルミニウムなどの金属膜で被覆した熱融着性樹脂シートや、樹脂フィルムなどが好適に用いられる。
【００２０】
蓋体４は、有頂筒状の蓋本体部１０と、蓋本体部１０の収容部１５内に収容された注出筒部２０と、注出筒部２０を蓋本体部１０に対して回動可能に連結するヒンジＨと、を有している。ヒンジＨは、収容部１５内に配設されている。ヒンジＨは、薄肉に形成されており、可撓性を有している。蓋本体部１０、注出筒部２０、およびヒンジＨは、例えば射出成形によって一体に形成することができる。なお、蓋本体部１０および注出筒部２０が別体に形成されていてもよい。
【００２１】
蓋本体部１０には、嵌合部１１と、環状部１２と、外筒部１３と、導入筒部１４と、収容部１５と、が形成されている。嵌合部１１は、上下方向に延びる筒状に形成されている。嵌合部１１の内周面には、径方向内側に向けて突出する突部が形成されており、この突部がカップ本体２のフランジ部２ｂにアンダーカット嵌合している。これにより、嵌合部１１がカップ本体２に固定されている。
【００２２】
環状部１２は、嵌合部１１の上端部から径方向内側に向けて延びており、平面視で環状に形成されている。外筒部１３は、環状部１２の内周縁から上方に向けて延びている。導入筒部１４は、外筒部１３の内側であって容器軸Ｏよりも＋Ｘ側に位置する部分に配置されている。導入筒部１４は上下方向に延びている。導入筒部１４の下端部はシール材３に向けて開口し、導入筒部１４の上端部は注出筒部２０の刃部２３（後述）に向けて開口している。
【００２３】
収容部１５は、蓋本体部１０の頂壁から下方に向けて窪んでいる。収容部１５は、蓋本体部１０を上下方向に貫通している。図２（ａ）に示すように、平面視において、収容部１５は前後方向Ｙよりも左右方向Ｘに長い略長方形状に形成されている。
【００２４】
図１に示すように、出荷時の状態では、注出筒部２０は全体として左右方向Ｘに延びている。一方、蓋体４が製造される際（図２（ａ）、（ｂ）参照）、および蓋付カップ容器１Ａが使用される際（図３参照）は、注出筒部２０は全体として上下方向に延びる。詳細は後述する。
注出筒部２０は、上筒部２１と、下筒部２２と、刃部２３と、を有している。
【００２５】
図１の状態において、上筒部２１は、左右方向Ｘに沿って延びている。下筒部２２は、上筒部２１から＋Ｘ側に向けて延びている。下筒部２２の内径および外径は、上筒部２１の内径および外径よりも小さい。このため、下筒部２２と上筒部２１との接続部には段差が形成されている。この段差には、注出筒部２０の外側に向けて突出する係合部２４が形成されている。係合部２４は、注出筒部２０の軸方向から見て、環状に形成されている。図３に示すように、注出筒部２０がヒンジＨ回りに上方に回動させられると、係合部２４が蓋本体部１０の導入筒部１４内に嵌合する。これにより、注出筒部２０の姿勢が、起立した状態で安定する。
【００２６】
図１に示すように、下筒部２２の＋Ｘ側の開口端は、＋Ｘ側に向かうに従って、漸次下方に向けて延びるように傾斜している。このため、縦断面視において、下筒部２２の＋Ｘ側の端部は略三角形状となっている。刃部２３は、下筒部２２の＋Ｘ側の端部（注出筒部２０の先端部）に形成されている。刃部２３は前後方向Ｙに沿ってジグザグに形成されている。このため、図３に示すように、注出筒部２０をヒンジＨ回りに上方に回動させ、刃部２３をシール材３に当接させると、シール材３を容易に破ることができる。この状態では、下筒部２２の少なくとも一部がシール材３の下方に位置するため、下筒部２２を通じてカップ本体２内の内容物を吸引したり吐出させたりすることが可能となる。例えば内容物が飲料の場合には、注出筒部２０の上筒部２１が飲み口として用いられる。本実施形態によれば、注出筒部２０をヒンジＨ回りに回動させる操作により、シール材３の開封と、飲み口の形成とを同時に行うことができる。
【００２７】
そして本実施形態では、蓋本体部１０における収容部１５の内面に、係止部１５ａが形成されている。図２（ａ）に示すように、係止部１５ａは、前後方向Ｙに間隔を空けて一対形成されている。係止部１５ａは、収容部１５の内面から、収容部１５の内側に向けて突出している。すなわち、係止部１５ａは注出筒部２０の外周面に向けて突出している。そして、注出筒部２０が収容部１５内に位置するとき、係止部１５ａは注出筒部２０に当接する。また、注出筒部２０が収容部１５内に位置するとき、一対の係止部１５ａは注出筒部２０を前後方向Ｙで挟持する。係止部１５ａは、注出筒部２０に当接することで、注出筒部２０を収容部１５内に離脱可能に係止している。
【００２８】
以上説明したように、本実施形態の蓋体４は、先端に刃部２３が形成された注出筒部２０と、注出筒部２０を収容する収容部１５が形成された蓋本体部１０と、注出筒部２０を蓋本体部１０に対して回動可能に連結するヒンジＨと、を有している。そして、収容部１５の内面には、注出筒部２０に向けて突出するとともに、注出筒部２０に当接する係止部１５ａが形成されている。係止部１５ａが、注出筒部２０に当接し、注出筒部２０を収容部１５内に離脱可能に係止していることで、注出筒部２０が収容部１５内に位置しているときの注出筒部２０のがたつきを抑制することが可能となる。
【００２９】
また、一対の係止部１５ａが、前後方向Ｙにおいて、注出筒部２０を挟むように配置されている。この構成によれば、より確実に注出筒部２０のがたつきを抑制することができる。
また、本実施形態では係止部１５ａが収容部１５の内面に形成されており、外部から視認されにくくなっている。したがって、蓋付カップ容器１Ａの外観を良好にすることができる。
【００３０】
また、図２（ｂ）に示すように、蓋体４を射出成形する際には、容器軸Ｏと、注出筒部２０の中心軸Ｏ１と、導入筒部１４の中心軸Ｏ２とが実質的に平行となり、注出筒部２０を上下方向で型抜きすることができる。このように、蓋体４を射出成形する際のアンダーカット部を無くしたり少なくしたりすることで、製造容易な蓋付カップ容器１Ａを提供することができる。
【００３１】
（第２実施形態）
次に、本発明に係る第２実施形態について説明するが、第１実施形態と基本的な構成は同様である。このため、同様の構成には同一の符号を付してその説明は省略し、異なる点についてのみ説明する。
【００３２】
図４に示すように、本実施形態の蓋付カップ容器１Ｂでは、注出筒部２０に、上方に向けて突出するツマミ２５が形成されている。ツマミ２５は、接続部２５ａと、操作部２５ｂと、を有している。接続部２５ａは、注出筒部２０の上筒部２１の外周面から上方に向けて延びており、上筒部２１の外周面に固定されている。操作部２５ｂは、接続部２５ａの上端部に接続されている。操作部２５ｂは、接続部２５ａの上端部回りに回動可能となっている。図５に示すように、平面視において、操作部２５ｂは略楕円形に形成されている。なお、操作部２５ｂの形状は適宜変更してもよい。操作部２５ｂの前後方向Ｙにおける幅は、接続部２５ａよりも大きい。
【００３３】
図４および図５に示すように、蓋本体部１０の外筒部１３の＋Ｘ側端部には、切欠部１３ａが形成されている。切欠部１３ａは、外筒部１３の上端面から下方に向けて窪んでいる。切欠部１３ａは、前後方向Ｙにおいて、ツマミ２５の接続部２５ａと同じ位置に配置されている。切欠部１３ａは、内部に接続部２５ａが進入した状態で、接続部２５ａを保持可能に形成されている。
【００３４】
切欠部１３ａの前後方向Ｙにおける幅は、接続部２５ａの前後方向Ｙにおける幅よりもわずかに小さくてもよい。この場合、接続部２５ａが切欠部１３ａに圧入されることで、接続部２５ａが保持される。あるいは、切欠部１３ａの前後方向Ｙにおける幅を接続部２５ａよりも大きくしつつ、切欠部１３ａのうち前後方向Ｙを向く内面に突起を形成してもよい。この場合、切欠部１３ａ内における突起の下方に接続部２５ａを位置させることで、接続部２５ａを保持することができる。
【００３５】
図６に示すように、本実施形態によれば、操作部２５ｂをつまんで引き上げることで、注出筒部２０をヒンジＨ回りに回動させることができる。したがって、例えば飲み口となる上筒部２１に触れなくても内容物を飲める状態とすることができる。また、流通時には操作部２５ｂを注出筒部２０に向けて倒した姿勢とすることで、蓋体４の上下方向のかさ張りを抑えることができる。その一方で、ツマミ２５を操作する際には、操作部２５ｂを接続部２５ａ回りに回動させて注出筒部２０から起立した姿勢とすることで、操作しやすくすることができる。
【００３６】
また、接続部２５ａを切欠部１３ａ内に位置させて、操作部２５ｂが外筒部１３の外周面に接するようにツマミ２５を折り返すことで、注出筒部２０が上下方向に延びた姿勢をより安定させることができる。
【００３７】
（第３実施形態）
次に、本発明に係る第３実施形態について説明するが、第１実施形態と基本的な構成は同様である。このため、同様の構成には同一の符号を付してその説明は省略し、異なる点についてのみ説明する。
【００３８】
図７に示すように、本実施形態の蓋付カップ容器１Ｃでは、注出筒部２０に、注出筒部２０の側方に向けて突出する指かけ部２６が形成されている。指かけ部２６は、前後方向Ｙに間隔をあけて一対設けられており、上筒部２１の外周面における上端部から＋Ｙ側または−Ｙ側に向けて延びている。一対の指かけ部２６は、外筒部１３の内側に位置している。左右方向Ｘから見たとき、各指かけ部２６は、上方に向けて凸の曲面状に形成されている。平面視において、各指かけ部２６は矩形状に形成されている。
【００３９】
本実施形態によれば、指かけ部２６に指をかけて引き上げることで、注出筒部２０をヒンジＨ回りに回動させることができる。したがって、例えば飲み口となる上筒部２１に触れなくても内容物を飲める状態とすることができる。
また、指かけ部２６は注出筒部２０の側方に向けて突出しているため、流通時における蓋体４の上下方向のかさ張りを抑えることができる。
また、指かけ部２６は、注出筒部２０が上下方向に延びた姿勢となったときに、外筒部１３の内面に当接するように構成されていてもよい。この場合、注出筒部２０が上下方向に延びた姿勢をより安定させることができる。
【００４０】
（第４実施形態）
次に、本発明に係る第４実施形態について説明するが、第１実施形態と基本的な構成は同様である。このため、同様の構成には同一の符号を付してその説明は省略し、異なる点についてのみ説明する。
【００４１】
図８に示すように、本実施形態の蓋付カップ容器１Ｄでは、ヒンジＨの形状が第１実施形態と異なっている。また、蓋本体部１０および注出筒部２０が別体として形成されており、ヒンジＨを介して連結されている。本実施形態のヒンジＨは、軸２７および軸受け１６により構成されている。軸２７は、前後方向Ｙに延びる円柱状に形成されている。軸２７は、接続部２７ａを介して、注出筒部２０に接続されている。すなわち、軸２７は注出筒部２０に形成されている。軸２７は、軸受け１６によって回動可能に保持されている。
【００４２】
軸受け２６は、下方に向けて開口するＣ字状に形成されている。図９に示すように、軸受け２６は前後方向Ｙに間隔を空けて一対設けられている。各軸受け２６は、収容部１５の内面から、注出筒部２０に向けて突出している。
【００４３】
図１０は、本実施形態の蓋体４を組み立てる様子を示す図である。図１０に示すように、注出筒部２０は、蓋本体部１０に対して、その下方から取り付けられる。軸２７の外径は、軸受け１６の下方の開口部の幅よりもわずかに大きい。軸２７を軸受け１６に下方から押し付けると、軸受け１６の開口部がわずかに広がるように弾性変形して、軸２７が軸受け１６内に挿入される。軸２７が軸受け１６内に挿入されると、軸受け１６が復元変形して、軸２７が軸受け１６に保持される。
【００４４】
図１１に示すように、蓋付カップ容器１Ｄを使用する際は、注出筒部２０を蓋本体部１０に対してヒンジＨ回りに上方に回動させる。このとき、軸２７は軸受け１６に対して摺動する。
以上の構成により、注出筒部２０および蓋本体部１０を別体として形成することができる。
【００４５】
なお、本発明の技術的範囲は前記実施の形態に限定されず、本発明の趣旨を逸脱しない範囲において種々の変更を加えることが可能である。
【００４６】
例えば、前記実施形態では、係止部１５ａが収容部１５の内面に形成されていた。しかしながら、注出筒部２０の外周面に、収容部１５の内面に向けて突出する突部が形成されていてもよい。この場合にも、係止部が収容部１５の内面に当接することで、注出筒部２０のがたつきを抑制することができる。
つまり、収容部１５の内面および注出筒部２０の外周面のうち、少なくとも一方に、他方に向けて突出するとともに他方に当接し、注出筒部２０を収容部１５内に離脱可能に係止する係止部が形成されていればよい。注出筒部２０に係止部を形成する場合には、当該係止部は前後方向Ｙに延びる一対の突起であってもよいし、上筒部２１の外周面に沿って形成された環状の突起であってもよい。
【００４７】
また、第４実施形態では、軸２７が注出筒部２０に形成され、軸受け１６が蓋本体部１０に形成されていた。しかしながら、この関係は逆であってもよい。つまり、軸２７が蓋本体部１０に形成され、軸受け１６が注出筒部２０に形成されていてもよい。
【００４８】
その他、本発明の趣旨を逸脱しない範囲で、上記した実施の形態における構成要素を周知の構成要素に置き換えることは適宜可能であり、また、上記した実施形態や変形例を適宜組み合わせてもよい。
【符号の説明】
【００４９】
１Ａ〜１Ｄ…蓋付カップ容器  ２…カップ本体  ２ａ…上端開口  ３…シール材  ４…蓋体  １０…蓋本体部  １５…収容部  １５ａ…係止部  ２０…注出筒部  ２３…刃部  Ｈ…ヒンジ
【図１】
2020070053.tif 000003
【図２】
2020070053.tif 000004
【図３】
2020070053.tif 000005
【図４】
2020070053.tif 000006
【図５】
2020070053.tif 000007
【図６】
2020070053.tif 000008
【図７】
2020070053.tif 000009
【図８】
2020070053.tif 000010
【図９】
2020070053.tif 000011
【図１０】
2020070053.tif 000012
【図１１】
2020070053.tif 000013